(57)【要約】【課題】ＨＤＲ動画の拡大表示中に撮影シーンが変更された場合でも、露光量の変更を効率よく行えることを可能にした撮像装置を提供すること。【解決手段】撮影手段と、画像表示手段と、画像保存手段と、特徴量決定手段と、特徴量比較手段と、露光量決定手段と、露光量変更手段と、ＨＤＲ合成画像生成手段と、ライブビュー表示手段と、ライブビュー拡大表示手段を有し、画角の一部を撮影してＨＤＲライブビュー拡大表示するとき、画角全体の撮影画像から決定した露光量でＨＤＲライブビュー拡大表示を行い、拡大表示中に撮像した画角の一部の画像と画角全体の撮影画像の一部の特徴量を特徴量比較手段で比較し、事前に決定したある閾値以上に特徴量の差異があった際に、自動的に画角全体の撮影を行いその撮影画像に応じて露光量を決定し、変更することを特徴とする。【選択図】図１
2016122953.tif 000002
【特許請求の範囲】
【請求項１】
被写体の撮影を行う撮影手段（１００、２００、４００）と、前記撮影手段で撮影された画像を表示する画像表示手段（１０７）と、前記撮影手段で撮影された画像を保存する画像保存手段（１０３）と、前記撮影手段で撮影された画像の全体または一部の特徴量を決定する特徴量決定手段(１０２)と、前記特徴量決定手段で決定した２つ以上の特徴量を比較する特徴量比較手段（１０１、１０２）と、前記撮影手段で撮影された画像より撮影されるときの露光量を決める露光量決定手段（１０２）と、前記撮影手段で撮影されるときの露光量を変更する露光量変更手段（１０２、２００）と、露光量の異なる複数の画像を合成してハイダイナミックレンジ(ＨＤＲ)画像を生成するＨＤＲ合成画像生成手段（１０１、１０２）と、前記撮影手段で画角の全体を連続的に撮影された画像を表示するライブビュー表示手段（１０７）と、前記撮影手段で画角の一部を連続的に撮影して前記画像表示手段に表示するライブビュー拡大表示手段（１０７）を有し、
画角の一部を撮影してＨＤＲライブビュー拡大表示するとき、画角全体の撮影画像から決定した露光量でＨＤＲライブビュー拡大表示を行い、拡大表示中に撮像した画角の一部の画像と画角全体の撮影画像の一部の特徴量を前記特徴量比較手段で比較し、事前に決定したある閾値以上に特徴量の差異があった際に、自動的に画角全体の撮影を行いその撮影画像に応じて露光量を決定し、変更する撮像装置。
【請求項２】
画角の一部を撮影してＨＤＲライブビュー拡大表示するとき、拡大する前の画角全体の撮影画像を画像保存手段で保存し、画角全体の撮影画像から決定した露光量でＨＤＲ拡大表示を行い、拡大表示中に撮像した画角の一部の画像と画角全体の撮影画像の一部の特徴量を前記特徴量比較手段で比較し、事前に決定したある閾値以上に特徴量の差異があった際に、画角全体の撮影を行いその撮影画像に応じて露光量を決定して変更するが、その画角全体の撮影画像は表示せず、拡大画像を表示することを特徴とする請求項１に記載の撮像装置。
【請求項３】
ＨＤＲライブビュー拡大表示中にオートフォーカス動作を行っている最中は、画角の一部の画像と画角全体の撮影画像の一部の特徴量を前記特徴量比較手段で比較しないで露光量の変更は行わないことを特徴とする請求項１に記載の撮像装置。
【請求項４】
ＨＤＲライブビュー拡大表示中に拡大表示位置の変更を行っている最中は、画角の一部の画像と画角全体の撮影画像の一部の特徴量を前記特徴量比較手段で比較しないで露光量の変更は行わないことを特徴とする請求項１に記載の撮像装置。
【請求項５】
ＨＤＲライブビュー拡大表示中に表示している画角の一部の画像の中にダイナミックレンジ外の輝度値を取る画素が無い場合は、画角の一部の画像と画角全体の撮影画像の一部の特徴量を前記特徴量比較手段で比較しないで露光量の変更は行わないことを特徴とする請求項１に記載の撮像装置。
【発明の詳細な説明】
【技術分野】
【０００１】
本発明は、撮像装置および方法に関し、特に動画ＨＤＲ撮影を行う撮像装置に関する。
【背景技術】
【０００２】
近年、様々な撮像技術が搭載された撮像装置が存在する。撮影画像の白飛びや黒潰れを抑制するために、同一シーンを露光量を変更して撮影した複数の画像を合成することで１回の撮影ダイナミックレンジより広いダイナミックレンジを有する画像を取得する方法として、ＨＤＲ(Ｈｉｇｈ  Ｄｙｎａｍｉｃ  Ｒａｎｇｅ)と呼ばれる技術が知られている。
【０００３】
また、近年ではそのＨＤＲによる合成画像取得を連続的に行ってライブビュー表示を行う、または動画記録を行うＨＤＲ動画と呼ばれる技術も知られている。さらに、ライブビュー表示中に撮影視野内の一部を詳細に確認するために、拡大して表示する技術も一般的である。この拡大表示を行うとき、撮影視野の一部の撮像のみを行うため、撮影視野全体のシーンを考慮した明るさでライブビュー拡大表示を行えないことがある。
【０００４】
特許文献１には、拡大表示用の露光制御部を有して拡大表示の画質を変更してこの問題を解決する技術が開示されている。また、特許文献２には、ＨＤＲ時の複数の露光画像の中から少なくとも１つの評価値を選択する技術が開示されている。
【先行技術文献】
【特許文献】
【０００５】
【特許文献１】特開２０１３−１６２４２０号公報
【特許文献２】特開２０１４−１５４９７９号公報
【発明の概要】
【発明が解決しようとする課題】
【０００６】
しかしながら、上述の特許文献に開示された従来技術では、動画ＨＤＲ時の拡大表示に関する記述は無く、また、拡大専用の露光制御部を有する必要があるため、コストの上昇という問題が生じる。また、上述の特許文献２に開示された従来技術では、たとえば少なくとも1つの評価値を用いてＨＤＲ時の露光量を決めることができるが、拡大表示についての記述は無い。
【０００７】
そこで、本発明の目的は、ＨＤＲ動画の拡大表示中に撮影シーンが変更された場合でも、露光量の変更を効率よく行えることを可能にした撮像装置を提供することにある。
【課題を解決するための手段】
【０００８】
上記の目的を達成するために、本発明の撮像装置は、
被写体の撮影を行う撮影手段（１００、２００、４００）と、前記撮影手段で撮影された画像を表示する画像表示手段（１０７）と、前記撮影手段で撮影された画像を保存する画像保存手段（１０３）と、前記撮影手段で撮影された画像の全体または一部の特徴量を決定する特徴量決定手段(１０２)と、前記特徴量決定手段で決定した２つ以上の特徴量を比較する特徴量比較手段（１０１、１０２）と、前記撮影手段で撮影された画像より撮影されるときの露光量を決める露光量決定手段（１０２）と、前記撮影手段で撮影されるときの露光量を変更する露光量変更手段（１０２、２００）と、露光量の異なる複数の画像を合成してハイダイナミックレンジ(ＨＤＲ)画像を生成するＨＤＲ合成画像生成手段（１０１、１０２）と、前記撮影手段で画角の全体を連続的に撮影された画像を表示するライブビュー表示手段（１０７）と、前記撮影手段で画角の一部を連続的に撮影して前記画像表示手段に表示するライブビュー拡大表示手段（１０７）を有し、
画角の一部を撮影してＨＤＲライブビュー拡大表示するとき、画角全体の撮影画像から決定した露光量でＨＤＲライブビュー拡大表示を行い、拡大表示中に撮像した画角の一部の画像と画角全体の撮影画像の一部の特徴量を前記特徴量比較手段で比較し、事前に決定したある閾値以上に特徴量の差異があった際に、自動的に画角全体の撮影を行いその撮影画像に応じて露光量を決定し、変更することを特徴とする。
【発明の効果】
【０００９】
本発明によれば、ＨＤＲ動画の拡大表示中に撮影シーンが変更された場合でも、露光量の変更を効率よく行えることを可能にした撮像装置の提供を実現できる。
【図面の簡単な説明】
【００１０】
【図１】本発明における、システム全体の構成図
【図２】本発明における、動画ＨＤＲの時系列チャート
【図３】本発明における、全画面および拡大で動画ＨＤＲ撮影した画像の表示イメージ
【図４】本発明における、全画面および拡大画像の表示イメージとその特徴量
【図５】本発明における、拡大表示時に特徴量の変化を検出した時に全画面画像を取り直すときの画像の表示イメージ
【図６】本発明における、拡大表示時に特徴量の変化を検出した時に全画面画像を取り直すときのフローチャート
【図７】本発明における、全画面および拡大表示移動後で動画ＨＤＲ撮影した画像の表示イメージ
【図８】本発明における、拡大表示位置移動後に特徴量の変化を検出した時に全画面画像を取り直すときのフローチャート
【発明を実施するための形態】
【００１１】
以下に、本発明の好ましい実施の形態を、添付の図面に基づいて詳細に説明する。
【００１２】
図１は本発明の実施形態にかかわる撮像装置の構成ブロック図である。カメラ４００は、マイコン１００、撮像部２００、記録媒体３００を有しており、撮像部２００が撮像した画像をマイコン１００で画像処理を行い、記録媒体３００に記録する。マイコン１００は、画像処理部１０１、ＣＰＵ（Ｃｅｎｔｒａｌ  Ｐｒｏｃｅｓｓｉｎｇ  Ｕｎｉｔ）１０２、メモリ１０３、コーデック部１０４、外部接続部１０５、操作部１０６、表示部１０７、記録制御部１０８を有する。
【００１３】
画像処理部１０１は、撮像部２００から出力された画像データに対して画素補間処理や色変換処理等の画像処理を行う。また、画像処理部１０１は、撮像素子２００aから読みだした撮像データをＹＵＶ色空間のデータフォーマットに変換を行う。また、画像処理部１０１は、複数の画像データの合成を行うことが可能であり、ＨＤＲ合成などを実現することができる。ＣＰＵ１０２は、メモリ１０３に格納されているコンピュータプログラムに従って、カメラ４００全体の動作を制御する。
【００１４】
メモリ１０３は、ＣＰＵ１０２のワークエリアとして機能する。また、メモリ１０３は、合成画像を生成するための画像の保持領域として機能する。なお、ＣＰＵ１０２のワークエリアおよび画像保持領域は、メモリ１０３に限られるものではなく、ハードディスクドライブ等の外部記録装置等であってもよい。
【００１５】
撮像部２００及び画像処理部１０１は、ＣＰＵ１０２によって、ＡＦ処理及びＡＥ処理を行うように制御される。ＣＰＵ１０２からＡＦ処理及びＡＥ処理を開始するように指示された場合、画像処理部１０１は、撮像部２００から出力される画像データを用いて演算処理を行う。撮像部２００及び画像処理部１０１は、この演算結果に基づいて、ＴＴＬ（スルー・ザ・レンズ）方式のＡＦ処理及びＡＥ処理を行う。
【００１６】
また、撮像部２００及び画像処理部１０１は、ＣＰＵ１０２によって、撮影を行うように制御される。ＣＰＵ１０２から撮影を開始するように指示された場合、撮像部２００及び画像処理部１０１は露光処理や現像処理等の処理を含む撮影処理を実行する。撮像素子２００ａから出力されたアナログデータは画像処理部１０１により、Ａ／Ｄ変換を介してデジタルデータに変換され、ＹＵＶ形式の画像データとしてメモリ１０３に書き込まれる。メモリ１０３に書き込まれた画像データに対して、コーデック部１０４によりエンコードが行われる。
【００１７】
コーデック部１０４ではＹＵＶの画像データをＪＰＥＧ形式やロスレス圧縮（ＲＡＷ形式）などの静止画像へのエンコード及び、ＪＰＥＧ形式やロスレス圧縮（ＲＡＷ形式）などのデータをＹＵＶの画像データにデコードを行う事が可能である。エンコードされた静止画像はメモリ１０３に配置される。マイコン１００は、同じＹＵＶの画像データに対してコーデック部で異なるエンコードを使用して複数の静止画像を生成することができる。外部接続部１０５は、カメラ４００が外部の機器と接続された場合に、接続制御をおこなう。
【００１８】
パソコンとＵＳＢ（Ｕｎｉｖｅｒｓａｌ  Ｓｅｒｉａｌ  Ｂｕｓ）などで接続された場合、撮影した静止画像を外部接続部１０５から直接パソコンに送ることができる。また、外部接続部１０５は、無線接続の通信や、テレビなどの映像出力機器への映像信号を制御できてもよい。
【００１９】
操作部１０６は、カメラ４００を操作するためのユーザインターフェースを提供する。操作部１０６は、カメラ４００を操作するための電源ボタン、モード変更ボタン、シャッターボタン、十字ボタン、メニューボタン等を有し、各ボタンはスイッチ、タッチパネル等により構成される。表示部１０７は、液晶ディスプレイなどの表示装置により構成される。カメラ４００の動作モードが撮影モードである場合、表示部１０７は、撮像部２００で生成された映像データがメモリ１０３上に展開され、その映像データが表示部１０７に表示されるように制御される。
【００２０】
記録制御部１０８は、カメラ４００の動作モードが撮影モードである場合は、撮像部２００で生成された画像データをコーデック部１０４でエンコードした静止画像データをファイル形式で記録媒体３００に記録する。記録制御部１０８に接続される記録媒体３００は、取り外し可能なリムーバブルメディアでもよいし、カメラ４００に内蔵される記憶領域でもよい。撮像素子２００ａは、不図示のレンズユニットを介して入射した被写体の光学像を電気信号である画像信号に変換する。撮像素子の一例として、例えばＣＣＤイメージセンサやＣＭＯＳセンサがある。
【００２１】
ミラー手段２００ｂは、レンズユニットを介して入射した被写体の光学像を撮像素子２００ａまたは、ファインダー２００ｃに導く位置に移動する。ファインダー２００ｃは、光学ファインダーであり、レンズユニットを介して入射した被写体の光学像を目視で確認することができる。このカメラ４００のマイコン１００で、異なる露光量で撮影された２枚の画像を動画ＨＤＲ合成して、合成画像を表示部１０７に表示するときのタイミングチャートについて図２を用いて説明する。
【００２２】
はじめに、Ｔ０において、ＣＰＵ１０２から撮像部２００に対して露光量Ａ１を設定する。次にＴ１０において、設定された露光量Ａ１で撮像部２００で撮像１を開始し、Ｔ１１で撮像１が終了する。次に、Ｔ１１において撮像1で撮像された画像に対して画像処理部１０１で画像処理１が開始され、Ｔ１２で終了する。次に、Ｔ１２において次に撮像される画像と合成させるために、メモリ１０３に画像保持１を行う。
【００２３】
次に、Ｔ１３においてＣＰＵ１０２から撮像部２００に対して、露光量Ａ１とは違う値をとる露光量Ｂ１を設定する。次にＴ２０において、設定された露光量Ｂ１で撮像部２００で撮像２を開始し、Ｔ２１で終了する。次に、Ｔ２１において撮像２で撮像された画像に対して画像処理部１０１で画像処理２が開始され、Ｔ２２で終了する。次にＴ２２において、露光量Ａで撮影された撮像1が保持されている画像保持１の画像と、露光量Ｂで撮影された撮像２の画像を合成開始し、Ｔ２３で終了する。次にＴ２３において、合成画像を表示部１０７で表示開始する。
【００２４】
このように２つの異なる露光量、Ａ１とＢ１で撮影された撮像１と撮像２の画像を合成することで、１回の撮影で得られるダイナミックレンジよりも広いレンジを持つ画像を得るＨＤＲ合成を実現している。
【００２５】
次にＴ２３において、ＣＰＵ１０２から撮像部２００に対して露光量Ａ２を設定する。このとき露光量設定Ａ２の値は、必ずしもＴ０で設定した露光量設定Ａ１の値と同じでなくてもよい。Ｔ３０以降は前述Ｔ１０からＴ２３における処理を引き続き連続して実施することで、ＨＤＲ合成画像を連続して表示する動画ＨＤＲを実現している。この動画ＨＤＲ画像を拡大表示する際の問題点を図３を用いて説明する。
【００２６】
図３はＨＤＲ合成されたときの画像で、３０１および３０３は画角全体を撮影して表示している全画面画像であり、３０２および３０４は画角の一部を撮影して表示している拡大画像である。全画面画像３０１では、画角全体の撮影画像の明るさを考慮して露光量を決定している。例えば被写体３０５や被写体３０６をダイナミックレンジ内に収めて白飛びや黒潰れをしないように露光量を決めることができる。
【００２７】
全画面画像３０１内の領域３０７を選択し、その領域を拡大表示したものが拡大画像３０２である。拡大画像を表示しているときは、画角の一部のみの撮影を行うため、画角全体の明るさを考慮して露光量が決めることができない。よって、拡大前の全画面表示中に決定した露光量で固定して撮影を行っている。被写体３０８は全画面画像で露光量を決めた時に存在していたため、その明るさはダイナミックレンジ内に収まっており、白飛びや黒潰れをすることなく適正な明るさで表示することができる。
【００２８】
ここで、拡大画像３０２を表示中に、画角外からダイナミックレンジ外の明るさを持つ被写体が画角内に現れた時のことを考える。３０４は、そのときのダイナミックレンジ外の明るさを持つ被写体３０９が表示された拡大画像である。そのときは画角全体の画像は撮影されていないが、３０３は画角全体のイメージを表している。
【００２９】
前述のように、拡大表示中は露光量を固定しているため、拡大画像３０４のようにダイナミックレンジ外の明るさを持つ被写体が後から拡大表示内に入った際は、ＨＤＲでダイナミックレンジを広げた特性を生かすことなく、白飛びまたは黒潰れをしたまま撮影されて表示されてしまうという問題が生じる。以下、これらの問題点を解決するための実施例を説明する。
【００３０】
［実施例１］
以下、図４、図５および図６を参照して、本発明の第1の実施例による、動画ＨＤＲ拡大表示時に特徴量の変化を検出した時に全画面画像を取り直して露光量を再設定するときの動作について説明する。図４は拡大表示前に画角全体を撮影して表示している全画面表示イメージと画角の一部を撮影して表示している拡大表示イメージ、およびそれらの画像特徴量を表している。この図を用いて、拡大時に画像特徴量を用いて撮影シーンの変更を検出する方法を説明する。
【００３１】
４０１は全画面画像であり、領域４０５は拡大指示が行われたときに拡大する領域を表している。また、４０２は領域４０５の画像特徴量を表している。画像特徴量として使用する値にはＲＧＢ各画素値や輝度値の領域内の積分値が考えられるが、その他の値を用いてもよい。４０３は領域４０５を拡大したときの拡大画像である。また、４０４は拡大画像４０３の画像特徴量を表している。この画像特徴量４０４を領域４０５の画像特徴量４０２と比較して、画像特徴量内の各値の差が事前に設定している閾値を超えていた時に、全画面画像と拡大画像では撮影シーンが変更されたと見なすことができる。
【００３２】
図５は拡大表示時に画像特徴量の変化を検出した時に、自動的に全画面画像を取り直すときの画像の表示イメージを表している。５０１は拡大画像であり、この画像で図４の説明で前述した撮影シーンの変更を検出したときの動作を説明する。
【００３３】
全画面画像５０１において、被写体５０５が拡大画像に現れたため画像特徴量が大きく変化し、撮影シーンの変更が検出される。撮影シーン変更を検出したときには露光量の変更を行いたいが、拡大表示による画角の一部の撮影では画角全体を考慮した露光量を算出することはできない。よってここで自動的に全画面撮影５０２を行って画角全体に存在する被写体５０６、５０７および５０８を考慮して露光量を再設定する。５０３は露光量を再設定した後の全画面表示である。露光量再設定前は白飛びしていた被写体５０９の白飛びが消えており、新しい撮影シーンに適正な露光量を設定することができたことがわかる。
【００３４】
その後、露光再設定前に拡大表示していた領域５１０を自動的に拡大表示してもよい。５０４は露光量再設定後の拡大表示である。ここでも露光量再設定前は白飛びしていた被写体５１１の白飛びが抑えられていることがわかる。
【００３５】
図６は拡大表示時に特徴量の変化を検出した時に全画面画像を取り直すときの制御のフローチャートである。このフローチャートを用いて、本制御を説明する。
【００３６】
はじめに、操作部１０６を介してＣＰＵ１０２がＨＤＲモード設定を受けると、マイコン１００および撮像部２００は動画ＨＤＲ撮像制御の設定を行う（Ｓ６０１）。次に、操作部１０６を介してＣＰＵ１０２が表示開始要求を受けると、Ｓ６０１で設定された動画ＨＤＲモードを開始して、表示部１０７はＨＤＲ合成画像を全画面表示する（Ｓ６０２）。
【００３７】
次に、全画面表示を行っている画角全体の撮影画像を使用して、ＣＰＵ１０２は撮影シーンに適正な露光量を決定し、撮像部２００および画像処理部１０１に設定して、適正露光画像を撮影する（Ｓ６０３）。次に、全画面表示中に操作部１０６を介してＣＰＵ１０２が拡大表示の要求を受けているかチェックし、要求が来ていなければ全画面表示を続ける（Ｓ６０４）。拡大表示要求を受けていれば、次に、Ｓ６０３で露光量を設定したときの画像をメモリ１０３に保存する（Ｓ６０５）。次に、保存した画像から、画像処理部１０１およびＣＰＵ１０２は拡大する領域の画像特徴量を算出し、メモリ１０３に保存する（Ｓ６０６）。
【００３８】
次に撮像部２００は画角の一部を撮影して表示部１０７は動画ＨＤＲ拡大表示を行う（Ｓ６０７）。次に画像処理部１０１およびＣＰＵ１０２は表示している拡大領域の特徴量を算出する（Ｓ６０８）。次に、ＣＰＵ１０２はＳ６０６で全画面画像の一部領域から算出した画像特徴量と、Ｓ６０９で拡大画像から算出した画像特徴量を比較する（Ｓ６０９）。その比較の結果、特徴量の差が閾値以下のときは撮影シーンは大きく変更していないと見なして拡大表示を続ける（Ｓ６１０）。もし、特徴量の差が閾値以上のときは撮影シーンが大きく変更されたと見なして、自動的に動画ＨＤＲ全画面表示を行う（Ｓ６１１）。
【００３９】
次に、全画面表示を行っている画角全体の撮影画像を使用して、ＣＰＵ１０２は撮影シーンに適正な露光量を決定し、撮像部２００および画像処理部１０１に設定して、適正露光画像を撮影する（Ｓ６１２）。次に、Ｓ６１２で露光量を設定したときの画像をメモリ１０３に保存する（Ｓ６１３）。次に、保存した画像から、画像処理部１０１およびＣＰＵ１０２は拡大する領域の画像特徴量を算出し、メモリ１０３に保存する（Ｓ６１４）。
【００４０】
次に、自動的にＳ６０７で表示していた位置であらためて拡大位置を行う（Ｓ６１５）。このときＳ６０７とは露光量が変更されていることになり、もしＳ６０７で撮影シーン変更に対応した露光量で拡大撮影が行われていなくても、Ｓ６１５では適正な露光量で拡大画像の撮影および表示が行えるようになる。このように拡大表示中に撮影シーンが変更しても、全画面画像を取り直すことで適正な露光量で動画ＨＤＲの撮影および表示を行うことができる。
【００４１】
［実施例２］
以下、図７および図８を参照して、本発明の第２の実施例による、動画ＨＤＲ拡大表示時の表示位置移動後に特徴量の変化を検出した時に全画面画像を取り直して露光量を再設定するときの動作について説明する。
【００４２】
図７は拡大表示前に画角全体を撮影して表示している全画面表示イメージと画角の一部を撮影して表示している拡大表示イメージ、拡大表示位置移動後の拡大表示イメージおよびそれらの画像特徴量を表している。この図を用いて、拡大表示位置移動後に画像特徴量を用いて撮影シーンの変更を検出する方法を説明する。７０１は全画面画像であり、領域７０９は拡大指示が行われたときに拡大する領域を表している。また、７０２は領域７０９の画像特徴量を表している。
【００４３】
７０３は領域７０９を拡大したときの拡大画像である。また、７０４は拡大画像７０３の画像特徴量を表している。７０２と７０４の画像特徴量を比較すると、事前に設定した閾値以上の差異が無く、まだ撮影シーンの変更は発生していないと見なすことができる。
次に、拡大表示中に拡大画像７０３から、拡大位置を左下方向に移動したときの処理を考える。７０５は拡大表示前に保存した全画面画像である。この保存した画像７０５があるため、拡大表示位置を移動した後の画像特徴量も算出することができる。領域７１０は保存した全画面画像内の拡大位置移動後の拡大表示位置に相当する領域であり、７０８はその領域７１０の画像特徴量となる。
【００４４】
７０７は表示位置を移動した後の拡大画像である。また、７０８は拡大画像７０７の画像特徴量を表している。ここでは、全画面表示中に存在していなかった被写体７１１が新たに表示されている。この画像特徴量７０８と保存した画像の領域から算出した画像特徴量７０６を比較して、画像特徴量内の各値の差が事前に設定している閾値を超えていた時に、全画面画像と表示位置移動した後の拡大画像では撮影シーンが変更されたと見なすことができる。
【００４５】
図８は拡大表示位置移動後に特徴量の変化を検出した時に全画面画像を取り直すときの制御のフローチャートである。このフローチャートを用いて、本制御を説明する。Ｓ８０１からＳ８０５までは、それぞれ図６のＳ６０１からＳ６０５の処理に相当するため、説明を省略する。次に撮像部２００は画角の一部を撮影して表示部１０７は動画ＨＤＲ拡大表示を行う（Ｓ８０６）。次に、ＣＰＵ１０２は操作部１０６を介して拡大表示位置の移動要求を受けていないかチェックし、現在拡大位置の移動中であると判定された場合は移動が終了するまで待つ（Ｓ８０７）。
【００４６】
拡大表示位置の移動が終われば、次に、画像処理部１０１およびＣＰＵ１０２はＳ８０５で保存した全画面画像内の移動後の拡大位置に相当する領域の画像特徴量を算出する（Ｓ８０８）。次に、画像処理部１０１およびＣＰＵ１０２は移動後に表示している拡大領域の特徴量を算出する（Ｓ８０９）。次に、ＣＰＵ１０２はＳ８０８で全画面画像の一部領域から算出した画像特徴量と、Ｓ８０９で拡大画像から算出した画像特徴量を比較する（Ｓ８１０）。
【００４７】
その比較の結果、特徴量の差が閾値以下のときは撮影シーンは大きく変更していないと見なして拡大表示を続ける（Ｓ８１１）。特徴量の差が閾値以上のときは撮影シーンが大きく変更されたと見なして、自動的に動画ＨＤＲ全画面表示を行う（Ｓ８１２）。Ｓ８１３からＳ８１６は、それぞれ図６のＳ６１２からＳ６１５の処理に相当するため、説明を省略する。
【００４８】
このように拡大表示位置を移動した後でも、全画面表示のときから撮影シーンが変更していることを検出することができ、その結果、全画面画像を取り直すことで適正な露光量で動画ＨＤＲの撮影および表示を行うことができる。
【００４９】
以上、本発明の好ましい実施形態について説明したが、本発明はこれらの実施形態に限定されず、その要旨の範囲内で種々の変形及び変更が可能である。
【符号の説明】
【００５０】
１００  マイコン、１０１  画像処理部、１０２  ＣＰＵ、１０３  メモリ、
１０４  コーデック部、１０５  外部接続部、１０６  操作部、１０７  表示部、
１０８  記録制御部、２００  撮像部、３００  記録媒体、４００  カメラ
【図１】
2016122953.tif 000003
【図２】
2016122953.tif 000004
【図３】
2016122953.tif 000005
【図４】
2016122953.tif 000006
【図５】
2016122953.tif 000007
【図６】
2016122953.tif 000008
【図７】
2016122953.tif 000009
【図８】
2016122953.tif 000010